(57)【要約】【課題】既存の蓄光プラスチックでは発光現象を起こさせる為に光エネルギーを与える方式として発光表面より光エネルギーをあたえている。この方式では太陽光エネルギーを与えるには便利であるが電燈等の光エネルギーを与える場合は発光表面に光源がくるので発光表面が見にくくなる。本発明では発光裏面より光エネルギーを与える方式とした。発光裏面より光エネルギーを与えるとこで、発光表面に光源が無いので、発光表面が見やすくなる。【解決手段】蓄光プラスチックに効率よく長時間にわたり発光現象を行わせる方式として発光裏面より光エネルギーを与える方式とした。光源として、紫外線ＬＥＤランプやブラックライトがある。蓄光プラスチックは紫外線を吸収し飽和状態になれば自発光する。光源の点灯時間は蓄光プラスチックが要求される明るさに比例した間欠点灯で良い。エネルギーの節約になる。【選択図】図１
2017032959.tif 000002
【特許請求の範囲】
【請求項１】
蓄光材を合成樹脂に練りこんだ蓄光機能を有する合成樹脂製品に効率よく発光現象を起こさせる光エネルギーを与える方式として蓄光機能を有する合成樹脂製品の活用する発光面の裏側より光エネルギーを与える方式。
【請求項２】
請求項１に記載の蓄光機能を有する合成樹脂製品の厚み方向より光エネルギーを与える方式。
【請求項３】
請求項１，２に記載の蓄光機能を有する合成樹脂製品にあって、光エネルギーを与える光源として紫外線ＬＥＤランプを用いた蓄光板表示装置。
【請求項４】
請求項１、２に記載の蓄光機能を有する合成樹脂製品にあって、光エネルギーを与える光源としてブラックライトを用いた蓄光板表示装置。
【請求項５】
請求項１，２，３，４に記載の蓄光板表示装置にあって、蓄光板表示装置を駆動する電力を蓄光板表示装置に取り付けたソーラーパネルより得る設備を設けた蓄光板表示装置。
【請求項６】
請求項１，２，３，４、に記載の蓄光板表示装置にあって、蓄光板表示装置を駆動する電力を装置外部より供給させる設備を設けた蓄光板表示装置
【請求項７】
請求項１，２，３，４，５，６に記載の蓄光板表示装置にあって、蓄光機能を有する合成樹脂製品に光エネルギーを与える光源の点灯方式が間欠点灯制御を行う設備を設けた蓄光板表示装置。
【発明の詳細な説明】
【技術分野】
【０００１】蓄光材を合成樹脂に練りこんだ蓄光機能を有する合成樹脂製品の応用に関する。
【背景技術】
【０００２】既存の蓄光材を合成樹脂に練りこんだ蓄光機能を有する合成樹脂製品（以下蓄光プラスチックと言う。）では、蓄光現象を起こさせる為に蓄光プラスチック表面（以下発光表面と言う。発光表面とは外部より見たとき蓄光現象を活用する面を言う。）より光エネルギーを与えている。【０００３】本発明の蓄光板表示装置の蓄光プラスチックでは主として発光裏面より光エネルギーを与えて発光現象を起こさせる方式を採用した。
【発明の概要】
【発明が解決しようとする課題】
【０００４】蓄光板表示装置の蓄光プラスチックに長い時間同じレベルの発光現象を行わせる事を可能にする蓄光板表示装置を発明する。
【課題を解決するための手段】
【０００５】蓄光板表示装置の蓄光プラスチックに発光現象を起こさせる為には蓄光板表示装置の蓄光プラスチックに光エネルギーを与える必要がある。【０００６】光エネルギーを与える方法としては、発光表面から光エネルギーを与えるのが一般的な方式である。発光表面から光エネルギーを与える方式では、光エネルギーを太陽光や照明装置から得ている。この方式で光エネルギーを蓄光プラスチックに蓄える方式では発光現象が長く続くと蓄光プラスチックに蓄積された光エネルギーが減衰し発光現象が減衰していき発光表面は暗くなっていく。【０００７】発光現象を減衰させない方式として、蓄光板表示装置の蓄光プラスチックにたえず光エネルギーを与える方式がある。蓄光板表示装置の蓄光プラスチック表面から光エネルギーを与える方式では発光表面に光源がくるので表示内容が見づらくなる。【０００８】本発明の蓄光板表示装置では蓄光板表示装置の蓄光プラスチック裏面より光エネルギーを与える方式とした。蓄光プラスチックの裏面より光エネルギーを与える事で発光表面に光源が無いので発光表面が見やすくなる。【０００９】この方式では本発明の蓄光板表示装置の電気エネルギーが無くなるまで夜間長時間にわたり蓄光プラスチックに光エネルギーを与える事ができるので、同じレベルの発光現象を行わす事ができる。
【発明の効果】
【００１０】蓄光現象を起こさせる光エネルギー光源を蓄光板表示装置の蓄光プラスチック裏面より与える事で発光表面が見やすくなる。【００１１】蓄光現象を起こさせる光エネルギー光源を間欠点灯する事でエネルギーの節約ができ、エネルギーを蓄える装置も小型化できる。ソーラーパネルを使って光エネルギーを集めるソーラーパネルも小型化ができる。昼間太陽光が当たる場所であれば外部エネルギー無しで蓄光板表示装置を使うことができる。
【図面の簡単な説明】
【００１２】
【図１】本発明に係る蓄光プラスチックを用いた蓄光板表示装置の斜視図である。
【図２】蓄光プラスチックに光エネルギーを与えるＬＥＤランプ配置の斜視図である。
【図３】蓄光プラスチックと光エネルギーを与えるＬＥＤランプ配置の位置関係を示す斜視図１である。
【図４】蓄光プラスチックに光エネルギーを与えるＬＥＤランプ配置の位置関係を示す斜視図２であ。
【図５】ＬＥＤランプを用いた蓄光板表示装置例の斜視図１である。
【図６】ＬＥＤランプを用いた蓄光板表示装置例の斜視図２である。
【図７】ブラックライトを用いた蓄光板表示装置の斜視図３である。
【符号の説明】
【００１３】１００  蓄光プラスチック
２００  ＬＥＤランプ取り付け蓄光板表示装置制御部
２１０  ＬＥＤランプ
３００  ソーラーパネル
４００  蓄光板表示装置外観ケース
５００  蓄光板表示装置取り付け台座
６００  ブラックライト
６１０  ブラックライト制御と蓄光板表示装置制御部
【発明を実施するための形態】
【００１４】以下、本発明を実施するための最良の形態を説明する。図１は本発明に係る蓄光板表示装置の構成を示す斜視図である。蓄光板表示装置は蓄光プラスチック１００、ＬＥＤランプ取り付け蓄光板表示装置制御部２００、ソーラーパネル３００、蓄光板表示装置外観ケース４００、蓄光板表示装置取り付け台座５００で構成される。
【００１５】蓄光プラスチック１００は、ＬＥＤランプ取り付け蓄光板表示装置制御部２００のＬＥＤランプにより背面より光エネルギーが与えられる。
【００１６】ＬＥＤランプ取り付け蓄光板表示装置制御部２００は、ソーラーパネル３００より電力が供給されソーラーパネル３００よりの電力で蓄光板表示装置は動作している。
【００１７】蓄光プラスチック１００は、蓄光板表示装置外観ケース４００の外周部と一体化している。
【００１８】蓄光板表示装置外観ケース４００は、蓄光板表示装置取り付け台座５００により固定される。
【実施例１】
【００１９】図５で示す斜視図１は蓄光板表示装置外観ケース４００を透明性の高い樹脂製品とした場合の実施例を示す。
【実施例２】
【００２０】図６で示す斜視図２は蓄光板表示装置外観ケースを蓄光プラスチックで作成した場合の実施例を示す。
【実施例３】
【００２１】図７で示す斜視図３は蓄光板表示装置外観ケースを蓄光プラスチックで作成し、蓄光プラスチックに光エネルギーを与えるランプにブラックライトを使用した場合の実施例を示す。
【実施例４】
【００２２】図２で示す斜視図はＬＥＤランプをＬＥＤランプ取り付け蓄光板表示装置制御部に取り付ける配置の一例を示す。
【実施例５】
【００２３】図３で示す斜視図は蓄光プラスチックに光エネルギーを与える為にＬＥＤランプの蓄光プラスチックとの位置関係を示す。
【実施例６】
【００２４】図４で示す斜視図は蓄光プラスチックに光エネルギーを与える為にＬＥＤランプの蓄光プラスチックとの位置関係を示す。
【産業上の利用可能性】
【００２５】電力供給が十分に整っていない地域の道路表示や看板等には最適である。
【図１】
2017032959.tif 000003
【図２】
2017032959.tif 000004
【図３】
2017032959.tif 000005
【図４】
2017032959.tif 000006
【図５】
2017032959.tif 000007
【図６】
2017032959.tif 000008
【図７】
2017032959.tif 000009